(57)【要約】【課題】表示画面の側方から第三者が覗き込めないように、簡易な構成で取扱いの容易な視線角度制限フィルターを提供する。【解決手段】視線角度制限フィルター１は、複数の凸レンズ２ｃを一体に平面配置してそのレンズ焦点位置に入射側表面を形成したシート状の屈折部材２と、この屈折部材２と密接して各凸レンズ２ｃの入射光の範囲を制限する透過孔３ｈを形成した規制部材３とから構成され、上記規制部材３には、上記各凸レンズ２ｃと対応して共通の位置関係に上記透過孔３ｈを配置形成したものである。【選択図】図１
2006301146.tif 000002
【特許請求の範囲】
【請求項１】
複数の凸レンズを一体に平面配置してそのレンズ焦点位置に入射側表面を形成したシート状の屈折部材と、この屈折部材と密接して各凸レンズの入射光の範囲を制限する透過孔を形成した規制部材とからなる視線角度制限フィルターであって、上記規制部材には、上記各凸レンズと対応して共通の位置関係に上記透過孔を配置形成してなることを特徴とする視線角度制限フィルター。
【請求項２】
前記規制部材の透過孔は、屈折部材の略正面方向に臨んで入射光範囲を制限する関係位置に配置してなることを特徴とする請求項１記載の視線角度制限フィルター。
【請求項３】
前記規制部材は、屈折部材の入射側表面に遮光インクを印刷形成してなることを特徴とする請求項１記載の視線角度制限フィルター。
【請求項４】
前記規制部材の入射側には、密接固着しうる光透過性の両面粘着テープによる接着部材を備えることを特徴とする請求項１記載の視線角度制限フィルター。
【請求項５】
前記屈折部材の凸レンズは、一方向に互いに密接配置した平行条または同心円条のレンチキュラーレンズにより形成してなることを特徴とする請求項１記載の視線角度制限フィルター。
【発明の詳細な説明】
【技術分野】
【０００１】
本発明は、表示画面に対して一定方向の範囲に限定してその表示内容を視認可能とする簡易な構成で取扱いの容易な視線角度制限フィルターに関するものである。
【背景技術】
【０００２】
金融機関の端末器から携帯電話器に到る情報表示を要する端末器には、情報表示用の表示画面を備え、この表示画面には、種々の情報が表示される。特に、個人情報の重要性から、その機密性の確保が必要となる場合がある。そのために、表示画面の側方から第三者が覗き込めないように、各種の方策がとられているが、特別な画面構成の専用のディスプレーや、特殊なフィルター等が必要で、いずれも、大きなコスト負担を強いられている。
【発明の開示】
【発明が解決しようとする課題】
【０００３】
解決しようとする問題点は、表示画面の側方から第三者が覗き込めないように、簡易な構成で取扱いの容易な視線角度制限フィルターを提供することにある。
【課題を解決するための手段】
【０００４】
請求項１に係る発明は、複数の凸レンズを一体に平面配置してそのレンズ焦点位置に入射側表面を形成したシート状の屈折部材と、この屈折部材と密接して各凸レンズの入射光の範囲を制限する透過孔を形成した規制部材とからなる視線角度制限フィルターであって、上記規制部材には、上記各凸レンズと対応して共通の位置関係に上記透過孔を配置形成してなることを特徴とする。
【０００５】
上記屈折部材の入射側表面は、規制部材により各凸レンズの入射光の範囲が制限され、その入射光範囲と対応して透過光の角度範囲が制限される。
【０００６】
請求項２に係る発明は、請求項１の構成において、前記規制部材の透過孔は、屈折部材の略正面方向に臨んで入射光範囲を制限する関係位置に配置してなることを特徴とする。上記屈折部材に対する規制部材による入射光範囲の位置関係から、透過光が屈折部材の略正面方向に限定される。
【０００７】
請求項３に係る発明は、請求項１の構成において、前記規制部材は、屈折部材の入射側表面に遮光インクを印刷形成してなることを特徴とする。上記規制部材は遮光インクにより屈折部材と一体に構成される。
【０００８】
請求項４に係る発明は、請求項１の構成において、前記規制部材の入射側には、密接固着しうる光透過性の両面粘着テープによる接着部材を備えることを特徴とする。上記両面粘着テープによって各種の表示画面に貼着固定される。
【０００９】
請求項５に係る発明は、請求項１の構成において、前記屈折部材の凸レンズは、一方向に互いに密接配置した平行条または同心円条のレンチキュラーレンズにより形成してなることを特徴とする。上記屈折部材は、レンチキュラーレンズにより視線制限作用を有する。
【発明の効果】
【００１０】
請求項１の構成の視線角度制限フィルターにより、上記屈折部材の入射側表面は、規制部材により各凸レンズの入射光の範囲が制限される。したがって、その入射光範囲と対応して透過光の角度範囲が制限されるので、屈折部材と規制部材とからなる簡易な構成により、表示面についての視線角度を制限することができる。
【００１１】
請求項２の構成の視線角度制限フィルターにより、入射光範囲の位置関係によって透過光が屈折部材の略正面方向に限定されることから、視線方向位置が視線角度制限フィルターの略正面位置に限定される。
【００１２】
請求項３の構成の視線角度制限フィルターにより、上記規制部材は遮光インクにより屈折部材と一体に構成されることから、視線角度制限フィルターが簡易に形成される。
【００１３】
請求項４の構成の視線角度制限フィルターは、両面粘着テープによって各種の表示画面に簡易に取り付けることができる。
【００１４】
請求項１の構成の視線角度制限フィルターにより、上記屈折部材は、レンチキュラーレンズにより簡易に構成できるとともに、規制部材の位置関係の精度を簡易に確保することができる。
【発明を実施するための最良の形態】
【００１５】
本発明の実施の形態について、以下に図面に基づいて詳細に説明する。
図１は、視線角度制限フィルターの基本構成の分解断面図である。
視線角度制限フィルター１は、多数の凸レンズ２ｃ…を形成したシート状の屈折部材２と、この屈折部材２と密接して入射光を制限する規制部材３と、表面に剥離紙４ａを備えた両面粘着テープによる接着部材４とを積層シート状に構成したものである。
【００１６】
詳細には、その基本構成の断面図を図２に示すように、屈折部材２は、ＰＥＴ（ポリエチレンテレフタレート）等の光透過性の合成樹脂シートにより、多条の凸レンズ２ｃを金型で加熱成形によって形成したシート状のレンチキュラーレンズ等の多数の凸レンズにより、その焦点位置に入射側表面を形成する。この屈折部材２により、その入射側表面に受けた入射光がその位置に応じて屈折され、それぞれの位置と対応した方向に透過する。
【００１７】
規制部材３は、レンチキュラーレンズの条ピッチのスリット状に透過孔３ｈを形成して入射側表面についてその入射光の範囲を制限するものであり、各透過孔３ｈを対応の凸レンズ２ｃについて共通の位置関係に遮光インクの印刷処理や遮光薄膜等によって形成する。入射光の透過方向は、相互の位置関係によって定まり、例えば、各凸レンズ２ｃの光軸２ａ上に透過孔３ｈを配置した位置関係では、屈折部材２の正面側の所定の角度範囲Ｆに入射光の透過方向が限定され、その両側の角度範囲Ｓ，Ｓは、入射光が遮断される。
【００１８】
規制部材３を作製するための原版は、屈折部材２の正面側等の目的とする所要の方向角度位置から逆入射した露光方法等により、対応する透過孔３ｈのパターンを得ることができ、これを対応する合マークを介して屈折部材２の所定位置に位置合わせすることができる。
【００１９】
接着部材４は、規制部材３の入射側に貼付された光透過性の両面粘着テープであり、その表面の剥離紙４ａを剥離除去することにより、視線角度制限フィルター１を表示画面等の目的物に密接貼着することができる。
【００２０】
上記構成の視線角度制限フィルター１は、レンチキュラーレンズを縦条方向に配置して携帯電話器を始めとする各種の表示画面に貼付することにより、その表示内容を特定の視線方向に限定して透過することから、画面上に個人情報が表示されている場合でも、表示画面の左右の側方に衝立を設けて目隠しするまでもなく、開放環境下において、左右に振れた側方からの他人の覗き込みによる情報漏洩を簡易に防止することができる。
【００２１】
また、横条配置に使用すれば、上下に振れた方向からの覗き込みを防止できる。特に、同心円状に形成したレンチキュラーレンズを使用することにより、透過光の方向が視線角度制限フィルター１の正面に限定されることから、その中心から上下左右に振れる全周に及ぶ範囲について、覗き込みを簡易に防止することができる。
【００２２】
なお、上記屈折部材２は、レンチキュラーレンズに限らず、個別形成のレンズを一体に平面配置することによっても同様の作用効果を奏するものであることから、その説明を省略する。また、直交格子状、放射格子状等の幾何学形状に配置することによって屈折部材２と規制部材３の相互の関係位置の精度を簡易に確保することができる。
【図面の簡単な説明】
【００２３】
【図１】視線角度制限フィルターの分解断面図である。
【図２】図１の視線角度制限フィルターの基本構成を示す断面図である。
【符号の説明】
【００２４】
１    視線角度制限フィルター
２    屈折部材
２ａ    光軸
２ｃ    凸レンズ
３    規制部材
３ｈ    透過孔
４    接着部材
４ａ    剥離紙
Ｆ    透過角度範囲
Ｓ    遮光角度範囲
【図１】
2006301146.tif 000003
【図２】
2006301146.tif 000004